(57)【要約】【課題】遊技の興趣をさらに向上させることが可能な遊技機の球流路構造を提供する。【解決手段】互いに立体的に交差し左右方向へ延びる第１流路３と第２流路４が設けられ、これら流路の両端を連結流路５１，５２により連結して、遊技球Ｂが循環できるようにしてある。流路３の一端はワープ導入口に至る遊技球供給路２５に連通し、これから遊技球Ｂを受け入れて、各流路３，４の途中に設けた排出部から遊技球Ｂを排出するようにしてある。排出部には遊技球Ｂを始動入賞口へ誘導する誘導溝３３，４３が形成されている。【選択図】        図４
2010110412.tif 000002
【特許請求の範囲】
【請求項１】
互いに立体的に交差し左右方向へ延びる第１流路と第２流路が設けられ、これら流路を連結流路により連結し、前記第１流路と第２流路の少なくとも一方の流路の一端側から遊技球を受け入れるとともに、前記第１流路および第２流路の一端側を除く流路部、又は連結流路から遊技球を排出させるように当該流路に排出部を設けたことを特徴とする遊技機の球流路構造。  
【請求項２】
前記第１流路と第２流路の両端を互いに連結させるように前記連結流路を設けるとともに、当該連結流路には遊技球を流通案内させるための案内壁を設けて前記第１流路および第２流路を遊技球が循環できるようにし、前記第１流路の一端側を遊技球供給路に連通させ、前記第１流路および第２流路の少なくとも一箇所に前記排出部を設け、前記排出部には遊技球を特定領域へ向けて誘導する誘導手段を設けた請求項１に記載の遊技球の球流路構造。
【発明の詳細な説明】
【技術分野】
【０００１】
本発明は遊技の興趣を向上させる遊技機の球流路構造に関する。
【背景技術】
【０００２】
この種の球流路構造として例えば特許文献１には、左右に延びる流路を上中下の三段に形成し、各流路は中央部と左右側部を高くするとともに、中段流路の中央に特定の入賞口へと遊技球を誘導する落とし穴が形成された球流路構造が示されている。そして、遊技領域から各流路に進入した遊技球は各流路を左右に転動しつつ、より下段の流路や落とし穴を経由して再び遊技領域へ落下させられる。このようにして、遊技球がより下流の流路に流下したり落とし穴へ落下する前に、遊技球が流路を左右に転動し、あるいは下方の流路へ落下する動きの面白さによって遊技の興趣を高めている。
【０００３】
【特許文献１】特開２００３−２８４８２７
【発明の開示】
【発明が解決しようとする課題】
【０００４】
しかし、上記従来の球流路構造では、未だ遊技の興趣を十分に向上させることができないという問題があった。
【０００５】
そこで、本発明はこのような課題を解決するもので、遊技の興趣をさらに向上させることが可能な遊技機の球流路構造を提供することを目的とする。
【課題を解決するための手段】
【０００６】
上記課題を解決するために、本第１発明の球流路構造では、互いに立体的に交差し左右方向へ延びる第１流路（３，７）と第２流路（４，８）が設けられ、これら流路を連結流路（５１，５２，５３）により連結し、第１流路と第２流路の少なくとも一方の流路（３，４，７，８）の一端側から遊技球（Ｂ）を受け入れるとともに、第１流路および第２流路の一端側を除く流路部、又は連結流路から遊技球を排出させるように当該流路に排出部を設ける。
【０００７】
本第１発明においては、遊技球が立体的に交差する第１流路と第２流路に流通して、遊技球が上下・左右方向に行き交うから、遊技の興趣を大きく向上させることができる。また、第１流路と第２流路とを左右方向に延びるように配設したので、遊技機において比較的広い領域として存在する左右方向の領域を遊技球の流路として利用できるので、遊技球の流れに変化の富んだ、遊技の興趣を向上させる球流下構造を構成することができる。さらに、流路の途中に遊技球の排出部を設けたので、遊技球の流通経路に変化や多様性を与え、振り分け的な機能を設けることができ、遊技球の流れに変化の富んだ、遊技の興趣を向上させる球流下構造を構成することができる。
【０００８】
本第２発明の球流路構造では、第１流路（３）と第２流路（４）の両端を互いに連結させるように連結流路（５１，５２）を設けるとともに、当該連結流路には遊技球を流通案内させるための案内壁（６１〜６５）を設けて第１流路および第２流路を遊技球が循環できるようにし、第１流路（３）の一端側を遊技球供給路（２５）に連通させ、第１流路（３）および第２流路（４）の少なくとも一箇所に排出部を設け、排出部には遊技球を特定領域へ向けて誘導する誘導手段（３３，４３）を設ける。
【０００９】
本第２発明においては、遊技球を第１流路と第２流路とに亘って、複数回循環するように流通させることができ、遊技の興趣を向上させる球流下構造を構成することができる。また、遊技球供給路を用いることで、その構造を適宜適切に構成することにより第１流路に流入してくる遊技球に適切な流下勢を付与することができ、その流下勢を循環流通に活用できる。さらに、連結流路に案内壁を設けたので、第１流路から第２流路に向けて、又は第２流路から第１流路に向けて、遊技球をＵターンするように流通させる際にその流通を安定的に行うことができる。また、排出部に誘導手段を設けることで、流通の振り分け機構に指向性を持たせることができ、流下させたい方向へより確実に遊技球を流下させることができる。遊技球供給路を、いわゆるワープ流路として構成し、又、特定領域を、そこに遊技球が入賞すると大当たりの抽選が行われる、いわゆる始動入賞口（または始動入賞口に向けて遊技球を流下させる球流下通路の導入口）として構成することで、本発明の球流路構造を、いわゆる一種（デジパチ）タイプの遊技機のステージ機構に利用することができる。また、遊技球を循環させることで、上記特定領域に向けて遊技球を誘導する誘導手段付近に、複数回遊技球を流通させることができ、特定領域に遊技球が流下される機会を増やすことができる。これにより遊技の興趣を向上させる球流下構造を構成することができる。また、流路内に流入してきた遊技球を、第１流路から連結流路を経由して第２流路へと、先ずは決められた方向に向けて比較的長い距離を流通させることができるので、流路内に連続して複数の遊技球が流入してきた場合でもそれらの遊技球のうちの一つが逆方向へと流れて互いに衝突しあうことを少なくすることができる。衝突したことによって遊技球が遊技者にとって期待しない方向へと流下してしまうことを軽減することができるので興趣を向上させることができる。
【００１０】
なお、上記カッコ内の符号は、後述する実施形態に記載の具体的手段との対応関係を示すものである。
【発明の効果】
【００１１】
以上のように、本発明の遊技機の球流路構造によれば、遊技の興趣をさらに向上させることができる。
【発明を実施するための最良の形態】
【００１２】
（第１実施形態）
図１には本発明の球流路構造を備えたパチンコ遊技機の正面図を示す。図１において、遊技盤１には遊技領域１２が形成されており、遊技領域１２の上半中央部には画像表示装置２が設けられている。画像表示装置２はフレーム２１で囲まれた矩形の液晶表示部２２を有しており、フレーム２１の下辺は以下に説明するような球流路構造を有するステージ部２３となっている。ステージ部２３の中央下方には始動入賞口１３が設けられており、当該始動入賞口１３に遊技球が入賞すると、上記液晶表示部２２で表示されている特別図柄画像の変更表示が開始されて「大当たり」の抽選結果を表示するようになっている。なお、図中符号１４は球皿、符号１５は遊技球発射用のハンドルである。
【００１３】
ステージ部２３の正面図を図２に、その平面図および斜視図をそれぞれ図３、図４に示す。ステージ部２３を構成するフレーム２１下辺の上面２１ａは、全体として前方へやや傾斜しつつ下方へ向いて円弧状に湾曲する（図２）面となっており、上面２１ａ上には一定幅の第１流路３が左右方向へ設けられている。第１流路３は直線路で、平面視（図３）で一端（一端側）３１が他端（他端側）３２に対して相対的に遊技盤１の前後方向の後側に位置している。
【００１４】
上記上面２１ａ上には、第１流路３を跨ぐ基台２４（図４）が形成されて、当該基台２４上に第１流路３と同幅の第２流路４が左右方向へ形成されている。第２流路４は第１流路３に対して立体的に交差する直線路となっており、平面視（図３）で一端４１が他端４２に対して相対的に遊技盤１の前後方向の前側に位置している。なお、第２流路４は他端４２から一端４１へ、下方へ向いて緩い円弧状に湾曲している（図２）。第１流路３と第２流路４は一端３１，４１同士および他端３２，４２同士が、これら流路３，４と同幅の半円弧状の連結流路５１，５２によってそれぞれ連結されている。これにより、平面視で８字形の循環流路が形成されている。なお、第１流路と第２流路が立体交差する部分の高低差は遊技球が１個通過するのに十分な寸法（遊技球１個分強）とする。
【００１５】
第１流路３の一端３１は、連結流路５1の一部を経て遊技球供給路２５の出口へ至っており、遊技球供給路２５には遊技領域１２へ打ち出された遊技球の一部が、遊技球供給路２５の導入口２５１（図１）を経て流入する。遊技球供給路２５は、フレーム２１の左側辺部の内部に上下方向へ延びるように設けられ、流入してきた遊技球に所定の流下勢を付与させて第１流路３に向けて遊技球を流出させるように構成されている。また、遊技球供給路２５の出口から連結流路５１の一部を経由して第１流路３の一端３１に至るまでの底面は、連続的に連なるような形状で形成されている。この形状により、遊技球供給路２５を流下する過程で遊技球に付与される流下勢をあまり弱めることなく適切に第１流路３に向けて遊技球を流下進入させることができる。左右の連結流路５１，５２とこれに続く第１流路３および第２流路４の一端３１，４１部と他端３２，４２部には、それぞれ両側にガイド壁（案内壁）６１，６２，６３，６４，６５が設けられて、流通する遊技球Ｂ（図４）が流路外へ出ることが規制されている。これに対し、ガイド壁６１〜６５が設けられていない両流路の中間部からは遊技球Ｂは流路外へ出ることが可能であり、この部分が排出部として形成されている。
【００１６】
第１流路３と第２流路４の中央部には、スプーンカットされた、後方へ漸次拡幅する略同形の誘導溝（誘導手段）３３，４３がそれぞれ形成されており、これら誘導溝３３，４３の延長上のフレーム下辺上面２１ａには、フレーム２１の下辺内に形成された球誘導通路２６の円形の一端開口２６１が開放している。球誘導通路２６はフレーム２１の下辺内を前方へ延びて、当該下辺の前側面にその円形の他端開口２６２が開放し、当該他端開口２６２は始動入賞口１３（図１）の直上に位置している。なお、誘導溝としてはスプーンカットに限られず、単なる傾斜面としても良い。
【００１７】
このようなステージ部２３に遊技球供給路２５の出口を経て遊技球Ｂが供給されると、図４に示すように、勢いの有る遊技球Ｂは第１流路３を一端３１から他端３２へ向けて転動し、連結流路５２を経由して第２流路４の他端４２から一端４１へ向けて転動する。この流通過程で遊技球Ｂが誘導溝３３，４３に入り込む場合が発生し、誘導溝３３，４３に入り込むと遊技球Ｂは後方へ誘導されて一端開口２６１へ向けて落下排出され、これから球誘導通路２６内へ進入してその他端開口２６２から遊技領域１２へと放出され、高い確率で始動入賞口１３内へ入賞させられる。あるいは、第２流路４に流入してきた遊技球Ｂは一端４１へと向かうことなく、ガイド壁６１，６２，６４，６５の設けられていない中間部から前方ないし後方へ落下排出され、フレーム下辺上面２１ａの傾斜にしたがって前方へ転動させられて、遊技領域１２（図１）へ落下させられる。なお、第２流路４に流入してきた段階で流下勢が減少した遊技球Ｂは、一端４１を上がりきることなく第２流路４をそのまま逆戻りして、第２流路４の中央底部を数回左右方向に揺動的に往復動した後、最終的にガイド壁６１，６２，６４，６５の設けられていない中間部から前方ないし後方へ落下排出される。その際に、誘導溝４３に入り込む場合もある。一方、流下勢をあまり弱めることなく第２流路４に流入してきた遊技球Ｂは、第２流路４の中間部から排出されることなく一端４１を上昇移動して連結流路５１を経由して再び第１流路３へ循環する。第１流路３へ循環した遊技球Ｂは、下方へ円弧状に湾曲する（図２）第１流路３において揺動的に往復動した後、上述したように誘導溝３３から一端開口２６１へ向けて落下させられ、あるいはガイド壁６２，６４の設けられていない中間部から、フレーム下辺上面２１ａの傾斜にしたがって前方へ転動排出されて、遊技領域１２へ落下させられる。なお、再び第１流路３へ循環してきた時点で、遊技球Ｂにまだ流下勢が持続している場合には、他端３２を上昇移動して連結流路５２を経由して再び第２流路４へと流入して上記一周目と同様な流下軌跡を辿ることとなる。
【００１８】
このように本実施形態によれば、遊技球供給路２５からステージ部２３に供給された遊技球Ｂは、８字状に立体交差する第１流路３と第２流路４に流通して、遊技球Ｂが上下・左右・前後方向に行き交うから、遊技の興趣を一段と向上させることができる。また、遊技球Ｂが勢いのある間、第１流路３と第２流路４との間を複数回循環するから、その結果、遊技球Ｂが誘導溝３３，３４に入り込む機会、可能性が増えることとなり、始動入賞口１３への入賞の期待感が高まり、これによっても遊技の興趣が向上させられる。併せて、誘導溝３３，４３を形成したことにより、遊技球Ｂを球誘導通路２６の一端開口２６１へ向けて高確率で排出することが可能となり、これによって遊技球Ｂを高い確率で始動入賞口１３内へ入賞させることができ、さらに期待感を高めることができる。また、連結流路５１，５２およびこれに続く第１流路３と第２流路４の両端部には両側にガイド壁６１〜６５を設けたから、遊技球ＢのＵターン流通を安定的に行わせることができる。さらに、立体交差する領域に誘導溝３３，４３を設けたので、遊技球Ｂが上下左右に行きかう、興趣の向上を図ることができる領域に、始動入賞口１３への入賞の期待感を向上させる機能を併せ持たせることができ、さらに遊技球Ｂの流下において興趣を向上させることができる。
【００１９】
なお、他端３２から連結流路５２の上昇流路部分（図３の斜め鎖線領域）にかけて、または一端４１から連結流路５１の上昇流路部分（図３の斜め鎖線領域）にかけて、適宜電気的駆動源により駆動される遊技球上昇機構（または流下付勢機構）を別途設けて、それを適宜駆動することにより、より確実に遊技球を循環できるようにしても良い。なお、遊技球上昇機構（流下付勢機構）の設置箇所は上記箇所に限定されず、適宜変更しても良い。本実施形態において、連結流路５１，５２を遊技球Ｂ一条分の幅よりも広くバンク形状にして、遊技球Ｂの一周目はその幅広状の比較的高い外周部をＵターン流通して、第1流路３又は第２流路４へ向けて流通する際に流下勢を付与させるようにし、二周目以降は幅広状の比較的低い内周部をＵターン流通させることで流下力が弱まってもＵターン可能にして、遊技球Ｂがより循環し易くするようにできる。
【００２０】
本実施形態において、第１流路３、第２流路４の底面を前後方向において、ほぼ平坦状に形成し、ガイド壁６１〜６５が設けられていない中間部の底面のみを前方に若干下方傾斜するように形成しても良い。なお、立体交差の位置や連結流路の形状、及び流路における高低差等は適宜変更することができる。
【００２１】
（第２実施形態）
図５〜図７にはステージ部２３の他の例を示す。図５はステージ部２３の正面図、図６はその平面図、図７はその斜視図である。各図において、全体として前方へやや傾斜するフレーム下辺の上面２１ａ上に、一定幅の第２流路４が左右方向へ設けられており、当該第２流路４は平面視で遊技盤１における前後方向の後側へ向けて円弧状に湾曲している（図６）。上記上面２１ａ上には第２流路４を左右方向の両端部二箇所で跨ぐとともに、中央部に前後方向へ貫通する開口２４１を形成した基台２４が設けられて、当該基台２４上に第２流路４と同幅の第１流路３が左右方向へ形成されている。第１流路３は遊技盤１における前後方向の前側へ向けて円弧状に湾曲して（図６）、第２流路４に対して左右方向の二箇所で立体的に交差している。第１流路３と第２流路４は一端３１，４１同士および他端３２，４２同士がこれら流路３，４と同幅の円弧状の連結流路５１，５２によってそれぞれ連結されて、循環流路が形成されている。第１流路３の一端３１は、連結流路５１の一部を経て第１実施形態におけると同様の遊技球供給路２５（図４参照）の出口へ至っている。連結流路５１，５２とこれに続く第１流路３の一端３１と他端３２には、流路の両側にガイド壁（案内壁）６１，６２，６３，６４，６５が設けられて、流通する遊技球が流路外へ出ることが規制されている。ガイド壁６１〜６５が設けられていない両流路３，４の中間部からは遊技球は流路外へ出ることが可能であり、この部分が排出部として形成されている。
【００２２】
第２流路４には中央部に、スプーンカットされた、前方へ漸次拡幅する誘導溝４３が形成されている（図６）。第２流路４の流路面中央部は、誘導溝（誘導手段）４３を形成した部分が正面視（図５）で頂部となった山形面に形成されている。第１流路３の中央部には流路幅方向の前側一箇所に、スプーンカットされた、前方へ漸次拡幅する誘導溝（誘導手段）３３が形成されるとともに、後側三箇所に、スプーンカットされた、後方へ漸次拡幅する誘導溝（誘導手段）３４，３５，３６が形成されている。また、フレーム下辺上面２１ａには、上記開口２４１の前方三箇所に左右方向へ間隔をおいて、スプーンカットされた、前方へ漸次拡幅する誘導溝２７１，２７２，２７３が形成されている。第１流路３の中央部の流路面は、誘導溝３３，３４を形成した部分が正面視（図５）で頂部となった山形面に形成されている。
【００２３】
このようなステージ部２３に遊技球供給路２５の出口を経て遊技球が供給されると、図７の矢印で示すように、遊技球は第１流路３を一端３１から他端３２へ向けて転動する。この際、流路中央部における山形流路面の上り傾斜で減速されて誘導溝３３，３４，３５，３６のいずれかに入り込みやすくなる。誘導溝３３に入り込んだ遊技球は前方へ誘導されて、高い確率で始動入賞口１３内へ直接入賞させられる。また、誘導溝３４，３５，３６に入り込んだ遊技球は後方へ誘導されてフレーム下辺上面２１ａ上へ排出落下させられる。フレーム下辺上面２１ａ上へ排出落下させられた遊技球は開口２４１を経て遊技領域１２へ落下させられるが、その際上記上面２１ａの前縁に形成された誘導溝２７１〜２７３に入り込んで遊技領域１２の所定部へ落下させられる場合もある。なお、誘導溝２７１に入り込んだ遊技球は高い確率で始動入賞口１３内へ入賞させられる。遊技球は誘導溝３３〜３６以外の、ガイド壁６２，６３，６４，６５の無い第１流路３の路面からも前方ないし後方へ排出落下させられ、直接ないしフレーム下辺上面２１ａを経て遊技領域１２へ落下させられる。
【００２４】
第１流路３から連結流路５２を経て第２流路４へ至った遊技球は、流路中央部における山形流路面の上り傾斜で減速されて誘導溝４３に入り込み易くなる。誘導溝４３に入り込んだ遊技球は前方へ誘導されて、開口２４１を経てフレーム下辺上面２１ａに形成された誘導溝２７１に高い確率で誘導されて入り込み、始動入賞口１３へ入賞させられる。また遊技球は誘導溝４３以外の、ガイド壁６１，６４の無い第２流路４の路面からも前方へ排出され、フレーム下辺上面２１ａを経て遊技領域１２へ落下させられる。なお、遊技球が開口２４１を経て遊技領域１２へ落下させられる際に誘導溝２７２，２７３に入り込んだ場合には、誘導溝２７２，２７３により遊技領域１２の所定部位へ向けて遊技球が落下させられる。
【００２５】
本実施形態によれば、遊技球供給路２５からステージ部２３に供給された遊技球が、左右の二箇所で立体的に交差する第１流路３と第２流路４に流通して、遊技球が上下・左右・前後方向に行き交うから、遊技の興趣を大きく向上させることができる。また、遊技球が勢いのある間、第１流路３から第２流路４へと循環するから始動入賞口１３への入賞の期待感が高まり、これによっても遊技の興趣が向上させられる。また、ガイド壁６１〜６５を設けたことにより、遊技球のＵターン流通を安定的に行わせることができる。さらに、誘導溝３３〜３６，４３，２７１〜２７３を形成したことにより、遊技球を始動入賞口１３や遊技領域１２の所定部位へ高い確率で落下させることができる。また、遊技球が流通する過程における様々な箇所に流通経路の振り分け部が設けられているので遊技球の流れに変化や多様性を与えることができる。また、第1流路３を遊技盤１の前側に向けて湾曲するように形成し、その湾曲部位に誘導溝３３を形成しているので、誘導溝３３を遊技者の目線に近いところに設けることができる。それにより、遊技者の目線に近いところから遊技球を始動入賞口１３へ向けて直接的に落下入賞させることができ、遊技の興趣を向上させることができる。また、第1流路３を遊技盤１の前側に向けて湾曲するように形成したので、第1流路３の後方領域に所定の空間を設けることができる。それにより、ステージ部２３の後方に可動部材等の装飾部材を配設したとしても、その装飾部材の視認を遮る部材が存在しないので装飾部材を目立たせて配置することができる。なお、連結流路５１の上昇流路部分にかけて、適宜電気的駆動源により駆動される遊技球上昇機構（または流下付勢機構）を別途設けて、それを適宜駆動することにより、より確実に遊技球を循環できるようにしても良い。なお、遊技球上昇機構（流下付勢機構）の設置箇所は上記箇所に限定されず、適宜変更しても良い。
【００２６】
（第３実施形態）
図８、図９にはステージ部２３のさらに他の例を示す。図８はステージ部２３の平面図、図９はその斜視図である。図８において、全体として前方へやや傾斜するフレーム下辺の上面２１ａ上に一定幅の第１流路７が左右方向へ設けられており、第１流路７は平面視でやや湾曲しつつ液晶表示部２２（図１）の表示面２２ａ近傍位置から遊技盤１における前後方向の前側へと延びている。上記上面２１ａ上には、第１流路７を跨ぐ基台２８（図９）が形成されて、当該基台２８上に第１流路７と同幅の第２流路８が左右方向へ形成されている。第２流路８は第１流路７に対して立体的に交差して、平面視でやや湾曲しつつ遊技盤１における前後方向の前側から液晶表示部２２の表示面２２ａ近傍位置へと延びている。
【００２７】
第１流路７と第２流路８は他端７２，８２同士が円弧状の連結流路５３によって連結されている。一方、第１流路７と第２流路８の一端７１，８１は合流して、第１実施形態におけると同様の遊技球供給路２５（図４参照）の出口へ至っている。これら流路７，８の両側には、連結流路５３の外周側と当該連結流路５３に続く第１流路７の手前側を除いてガイド壁６６，６７，６８が設けられて、流通する遊技球が流路外へ出ることが阻止されている。また、第１流路７には中央部に、スプーンカットされた、前方へ漸次拡幅する誘導溝７３が形成されており（図９）、第２流路７の流路面中央部は、誘導溝７３を形成した部分が頂部となった山形面に形成されている。
【００２８】
連結流路５３の路面はその外周へ向けて漸次高くなっており(図９)、その外側ではフレーム下辺の上面２１ａは漸次低くなって、その最下位置には、フレーム２１の下辺内に形成された球誘導通路２９（図９）の角形の一端開口２９１が開放している。球誘導通路２９はフレーム２１の下辺内を左右方向中央前方へ斜めに延びて、フレーム２１下辺の前側面にその角形の他端開口２９２が開放し、当該他端開口２９２は遊技領域１２に設けた始動入賞口１３の直上に位置している。
【００２９】
このようなステージ部２３に遊技球供給路２５の出口を経て遊技球が供給されると、図９の矢印で示すように、遊技球は第１流路７ないし第２流路８のいずれかに進入してこれを一端７１，８１から他端７２，８２へ向けて転動し、連結流路５３に至る。この時、勢いのある遊技球は遠心力により連結流路５３の外周域を越えて外方へ飛び出すように排出され、球誘導通路２９の一端開口２９１内へ進入して、その他端開口２９２から高い確率で始動入賞口１３内へ落下させられる。勢いの無い遊技球は連結流路５３の外周域を越えることができず、第１流路７の手前側から遊技領域１２内へ排出落下させられる。この際、一部の遊技球は流路中央部における山形流路面の上り傾斜で減速されて誘導溝７３に入り込み、誘導溝７３に入り込んだ遊技球は前方へ誘導されて、高い確率で始動入賞口１３内へ落下させられる。なお、勢いの無い遊技球は連結流路５３の外周域を越えることなく第１流路７から第２流路８へ、あるいは第２流路８から第１流路７へと流通する。
【００３０】
本実施形態によれば、遊技球供給路２５からステージ部２３に供給された遊技球が、立体交差する第１流路７と第２流路８に流通して、遊技球が上下・左右・前後方向に行き交うから、遊技の興趣を大きく向上させることができる。また、本実施形態の構造によれば、ステージ部２３全体の大きさを前後方向で小さくして、ステージ部２３の前後方向の寸法をコンパクトにまとめて、液晶表示部２２の表示面２２ａから大きく突出しないようにすることができる。
【００３１】
上記各実施形態において、第1流路と第2流路の立体交差は３箇所以上としても良い。連結流路は必ずしも第１流路および第２流路の端部に設ける必要はなく、これら球流路の途中に設けても良い。また、球流路を三つ以上設けても良い。さらに、本発明の球流路構造はフレームのステージ部に限られず、遊技球の振り分け機能を必要とする箇所に適宜採用することができる。また、連結流路の円弧形状部に、クロソイド曲線の原理を用いた形状の流路を形成しても良い。
【図面の簡単な説明】
【００３２】
【図１】本発明の第１実施形態における、本発明の球流路構造を備えたパチンコ遊技機の正面図である。
【図２】ステージ部の正面図である。
【図３】ステージ部の平面図である。
【図４】ステージ部の斜視図である。
【図５】本発明の第２実施形態における、ステージ部の正面図である。
【図６】ステージ部の平面図である。
【図７】ステージ部の斜視図である。
【図８】本発明の第３実施形態における、ステージ部の平面図である。
【図９】ステージ部の斜視図である。
【符号の説明】
【００３３】
３…第１流路、４…第２流路、７…第１流路、８…第２流路、１３…始動入賞口、２５…遊技球供給路、３３，４３…誘導溝（誘導手段）、Ｂ…遊技球。
【図１】
2010110412.tif 000003
【図２】
2010110412.tif 000004
【図３】
2010110412.tif 000005
【図４】
2010110412.tif 000006
【図５】
2010110412.tif 000007
【図６】
2010110412.tif 000008
【図７】
2010110412.tif 000009
【図８】
2010110412.tif 000010
【図９】
2010110412.tif 000011